(57)【特許請求の範囲】
【請求項１】
注入ポンプ用のカセット装置であって、
投与セットのチューブを注入ポンプに動作可能に接続するためのカセットと、上向きの押圧面及び下面を有する押圧タブと、
前記カセットを取り外し可能に受容するための、前記注入ポンプ上のカセットインターフェースであって、少なくとも１つの支点部材を含む、カセットインターフェースと、を備え、
前記押圧タブの前記下面は、前記カセットが前記カセットインターフェースによって受容されるときに、前記少なくとも１つの支点部材に係合し、
前記カセットは、前記カセットインターフェースからの前記カセットの取り外しを支援するために、前記押圧タブの前記押圧面を押圧することによって前記少なくとも１つの支点部材に対して旋回可能であり、
前記カセットインターフェースは、互いに横方向に離間されてそれらの間にスロットを画定する１対の支点部材を含み、前記カセットは、前記押圧タブの前記下面から下方に延在する垂直リブを含み、前記カセットが前記カセットインターフェースによって受容されるときに、前記カセットの前記垂直リブは、前記カセットインターフェースの前記スロットにおいて受容され、前記押圧タブの前記下面は、前記１対の支点部材に係合する、カセット装置。
【請求項２】
前記押圧タブの前記下面は、下方向に凸状に湾曲しており、前記１対の支点部材は、上方向に凸状に湾曲している、請求項１に記載の装置。
【請求項３】
前記カセットは、流入チューブコネクタと、流出チューブコネクタと、前記流入チューブコネクタと流れ連通している上流のポンピング区分コネクタと、前記流出チューブコネクタと流れ連通している下流のポンピング区分コネクタとを含む、請求項１に記載の装置。
【請求項４】
前記カセットの前記垂直リブは、前記上流のポンピング区分コネクタと前記下流のポンピング区分コネクタとの間の前記カセットの中央平面内にある、請求項３に記載の装置。
【請求項５】
前記下流のポンピング区分コネクタは、前記下流のポンピング区分コネクタを通る流れを制限するためのインラインオクルダーを含む、請求項３に記載の装置。
【発明の詳細な説明】
【技術分野】
【０００１】
本発明は、全般的に、流動食及び薬物の患者への制御された送達のための注入ポンプに関する。より具体的には、本発明は、投与チューブセットが注入ポンプに動作可能に接続される、取り外し可能なカセット装置に関し、該カセット装置は、ポンプからカセットを取り外す際にユーザを支援するように構成される。
【背景技術】
【０００２】
プログラム可能な注入ポンプは、経腸栄養補給のための流動食、及び種々の目的、例えば疼痛管理のための薬物投与の制御された送達を行うために使用される。一般的な配設において、注入ポンプは、該ポンプによって取り外し可能に受容されるカセットと、該ポンプを通しての流体送達経路を提供するための、カセットに接続される可撓性チューブとを備える、使い捨て投与セットを受容する。
【０００３】
投与セットは、ポンプのローター機構を取り囲むチューブのポンピング区分を含むことができ、カセットは、チューブ区分の両端部が接続される１対のチューブコネクタを含むことができる。ローター機構は、ローターが回転するときにチューブ区分を変形させて、蠕動運動の様式でチューブを通して流体を段階的に付勢するピンチローラー又はフィンガーを有することができる。カセットは、流体源から流体を搬送する流入チューブ及び患者に通じる流出チューブを接続するための別の１対のチューブコネクタを有することができる。その結果、流入チューブから、チューブ区分を通して、流出チューブまでの流路が提供される。
【０００４】
ポンプは、カセットがポンプに装填されるときに該カセットを受容するためのネスト領域を提供するように構成されたカセットインターフェースを有することができる。米国特許第７，０７０，５７５号で示されるような従来技術の設計において、カセットインターフェースは、カセットがポンプに装填されるときにカセットが嵌合する成形された凹部を画定する。その結果、一部のユーザは、使用後にポンプからカセット及び投与セットのチューブを取り外すことが困難である。
【発明の概要】
【発明が解決しようとする課題】
【０００５】
ポンプからのカセット及び投与セットのチューブの取り外しを容易にするカセット及び対応するカセットインターフェースが必要である。
【課題を解決するための手段】
【０００６】
注入ポンプ用のカセット装置は、ユーザがカセットを迅速かつ容易に装填すること、及び取り外すことができるように構成される。カセット装置は、全般的に、投与セットのチューブを注入ポンプに動作可能に接続するためのカセットと、カセットを取り外し可能に受容するための、注入ポンプ上のカセットインターフェースをと備える。
【０００７】
本発明によれば、カセットは、上向きの押圧面及び下面を有する押圧タブを含み、カセットインターフェースは、少なくとも１つの支点部材を含み、押圧タブの下面は、カセットがカセットインターフェースによって受容されるときに、少なくとも１つの支点部材に係合する。その結果、カセットは、カセットインターフェースからのカセットの取り外しを支援するために、押圧タブの押圧面を押圧することによって少なくとも１つの支点部材に対して旋回可能である。
【０００８】
本発明の一実施形態において、カセットは、押圧タブの下面から下方に延在する垂直リブを含み、カセットインターフェースは、互いに横方向に離間されてそれらの間にスロットを画定する、１対の支点部材を含む。カセットが装填されるときに、カセットの垂直リブは、１対の支点部材の間のカセットインターフェースのスロットにおいて受容され、押圧タブの下面は、１対の支点部材のそれぞれに係合し、よって、カセットは、押圧タブの押圧面を押圧することによって１対の支点部材に対して旋回可能である。
【０００９】
カセットはまた、流入チューブコネクタ、流出チューブコネクタ、流入チューブコネクタと流れ連通している上流のポンピング区分コネクタ、及び流出チューブコネクタと流れ連通している下流のポンピング区分コネクタも含むことができる。下流のポンピング区分コネクタは、下流のポンピング区分コネクタを通る流れを制限するためのインラインオクルダーを含むことができる。
【図面の簡単な説明】
【００１０】
本発明の性質及び動作形態はこれから、添付図面を参照して、本発明の以下の詳細な説明においてより十分に説明される。
【図１】本発明の実施形態に従って形成されるカセット装置を具現化する注入ポンプ及びカセットの斜視図である。
【図２】概してカセットの上から見たときの、図１で示されるカセットの斜視図である。
【図３】概してカセットの下から見たときの、図１で示されるカセットの別の斜視図である。
【図４】図１で示される注入ポンプのカセットインターフェースの斜視図である。
【図５】カセットインターフェースに装填されたカセットを示す正面図である。
【図６】簡単な取り外しのためにカセットを旋回させた、図５の正面図に類似する図である。
【発明を実施するための形態】
【００１１】
図１は、投与セット１２が取り外し可能に受容される注入ポンプ１０を示す。投与セット１２は、カセット１４を含み、該カセットは、図２及び図３に単独で示される。カセット１４は、流入コネクタ１６と、流入コネクタ１６と流れ連通している上流のポンピング区分コネクタ１８と、下流のポンピング区分コネクタ２０と、下流のポンピング区分コネクタ２０と流れ連通している流出コネクタ２２とを含むことができる。投与セット１２は更に、一方の端部が流入コネクタ１６に嵌合され、反対側の端部（図示せず）が流体源に接続された、流入チューブ２４と、一方の端部が流出コネクタ２２に接続され、反対側の端部（図示せず）が患者に接続された、流出チューブ２６とを含むことができる。最後に、投与セット１４は更に、一方の端部が上流のポンピング区分コネクタ１８に嵌合され、反対側の端部が下流のポンピング区分コネクタ２０に嵌合された、チューブのポンピング区分２８を含むことができる。
【００１２】
例示される実施形態において、ポンプ１０は、ローター３０を有する回転蠕動ポンプであり、ポンピング区分２８は、ローター３０を取り囲むようにされ、また、ローターが回転するときにローター３０上の角度を付けて離間されたローラーによって係合されて、投与セット１２のチューブを通して液体を押し出す蠕動運動のポンピング作用を提供する。図１を参照することによって理解できるように、ローター３０が反時計方向に回転するときに、液体は、流入チューブ２４から、流入コネクタ１６及び上流のポンピング区分コネクタ１８を通って、ポンピング区分２８まで移動し、次いで、ポンピング区分２８から、下流のポンピング区分コネクタ２０及び流出コネクタ２２を通って、流出チューブ２６まで移動する。本発明は、回転蠕動運動ポンプの文脈で説明されているが、本発明は、このタイプの注入ポンプに限定されない。本発明は、カセットを有する投与セットを受容する任意のタイプの注入ポンプによって実践することができる。
【００１３】
カセット１４はまた、上向きの押圧面３２Ａ及び下面３２Ｂを有する押圧タブ３２も含む。カセット１４は更に、下面３２Ｂから下方に延在する垂直リブ３４を含むことができる。特定の実施形態において、カセット１４は、下流のポンピング区分コネクタ２０の中へ組み込むことができるインラインオクルダー３６を含むことができる。インラインオクルダー３６は、ポンプドア３８が開いているときに流れを阻止する。ポンプドア３８の下側のアクチュエータ３９は、ドア３８が閉じられているときにオクルダー３６の周囲の流路を開く様式で、ポンピング区分２８に係合する。
【００１４】
図１で分かるように、注入ポンプ１０は、カセット１４を取り外し可能に受容するためのカセットインターフェース４０を含む。図４は、投与セットを装填していないカセットインターフェース４０を示す。例示される実施形態において、カセットインターフェース４０は、互いに横方向に離間されてそれらの間にスロット４４を画定する１対の支点部材４２を含む。支点部材４２は、カセットインターフェースの基部表面４６から上方に延在する。カセット１４及びカセットインターフェース４０は、成型プラスチックで形成することができる。
【００１５】
図１、図５、及び図６から理解できるように、カセット１４がカセットインターフェース４０によって受容されるときに、カセット１４の垂直リブ３４は、カセットインターフェース４０のスロット４４で受容され、そして、押圧タブ３２の下面３２Ｂは、１対の支点部材４２のそれぞれの頂部分に係合する。図で示されるように、押圧タブ３２の下面３２Ｂは、下方向に凸状に湾曲していてもよく、１対の支点部材４２は、上方向に凸状に湾曲していてもよい。カセット１４の垂直リブ３４は、上流のポンピング区分コネクタ１８と下流のポンピング区分コネクタ２０との間のカセットの中央平面内にあることができ、それによって、リブ３４のスロット４４の中の挿入は、ローター３０の回転軸に対してカセットをセンタリングする。
【００１６】
図５及び図６は、カセットインターフェース４０からの注入ポンプ１０のカセット１４の取り外しを容易にする本発明による最初のステップを例示する（図５では、明確にするために、投与セット１２のチューブが省略されている）。図５において、カセット１４は、その装填又は挿入された状態で示され、カセットインターフェース４０にネストされる。図６から理解されるように、カセット１４は、押圧タブ３２の押圧表面３２Ａを押圧することによって支点部材４２に対して旋回可能である。この作用は、ユーザが、流入コネクタ１６及び流出コネクタ２２をカセットインターフェース４０の基部表面４６から離すように持ち上げることによって、カセットインターフェース４０からカセット１４を取り外すのを支援する。
【００１７】
当業者であれば、本発明から逸脱することなく、示される実施形態に対する修正例が可能であることを認識するであろう。例えば、押圧タブは、湾曲している代わりに平坦であってもよく、垂直リブ３４は、湾曲している代わりに直線状である傾斜した外縁部を有してもよい。他の修正例もまた可能である。１対の支点部材４２の代わりに、単一の中央に位置する支点部材だけをカセットインターフェース４０の一部として提供することができる。そのような修正例の下で、カセット１４には、単一の支点部材をまたぐように配設される１対の横方向に離間された垂直リブ３４を提供することができる。別の代替例として、押圧タブ３２の下面３２Ｂは、単一の支点部材の頂面を旋回可能に受容するように輪郭形成される凹部を含むことができる。更に別の代替例として、単一の支点部材の頂部は、ヒンジの様式で下面３２Ｂ上に丸みのある横方向に延在するリブを受容するための横方向に延在する溝部を含むことができる。
【００１８】
本発明を例示的な実施形態に関連して説明してきたが、詳細な説明は、本発明の範囲を記載される特定の形態に限定することを意図しない。本発明は、本発明の範囲内に含むことができるような、説明される実施形態の代替例、修正例、及び均等物を包含する。
以上説明したように、本発明は以下の形態を有する。
［形態１］
注入ポンプ用のカセット装置であって、
投与セットのチューブを注入ポンプに動作可能に接続するためのカセットと、上向きの押圧面及び下面を有する押圧タブと、
前記カセットを取り外し可能に受容するための、前記注入ポンプ上のカセットインターフェースであって、少なくとも１つの支点部材を含む、カセットインターフェースと、を備え、
前記押圧タブの前記下面は、前記カセットが前記カセットインターフェースによって受容されるときに、前記少なくとも１つの支点部材に係合し、
前記カセットは、前記カセットインターフェースからの前記カセットの取り外しを支援するために、前記押圧タブの前記押圧面を押圧することによって前記少なくとも１つの支点部材に対して旋回可能である、カセット装置。
［形態２］
前記カセットインターフェースは、互いに横方向に離間されてそれらの間にスロットを画定する１対の支点部材を含み、前記カセットは、前記押圧タブの前記下面から下方に延在する垂直リブを含み、前記カセットが前記カセットインターフェースによって受容されるときに、前記カセットの前記垂直リブは、前記カセットインターフェースの前記スロットにおいて受容され、前記押圧タブの前記下面は、前記１対の支点部材に係合する、形態１に記載の装置。
［形態３］
前記押圧タブの前記下面は、下方向に凸状に湾曲しており、前記１対の支点部材は、上方向に凸状に湾曲している、形態２に記載の装置。
［形態４］
前記カセットは、流入チューブコネクタと、流出チューブコネクタと、前記流入チューブコネクタと流れ連通している上流のポンピング区分コネクタと、前記流出チューブコネクタと流れ連通している下流のポンピング区分コネクタとを含む、形態２に記載の装置。
［形態５］
前記カセットの前記垂直リブは、前記上流のポンピング区分コネクタと前記下流のポンピング区分コネクタとの間の前記カセットの中央平面内にある、形態４に記載の装置。
［形態６］
前記下流のポンピング区分コネクタは、前記下流のポンピング区分コネクタを通る流れを制限するためのインラインオクルダーを含む、形態４に記載の装置。
【図１】
0006348585.tif 000002
【図２】
0006348585.tif 000003
【図３】
0006348585.tif 000004
【図４】
0006348585.tif 000005
【図５】
0006348585.tif 000006
【図６】
0006348585.tif 000007